(57)【要約】【課題】仕掛け器具をコンパクトに簡素化した大物狩猟用の罠具である。【解決手段】横引のコイル引きバネに接続する仕掛け器具１の先端をＵ型カギ１３にして、アンカー４に引っ掛け固定する。押え棒１０に複数の孔１１を施し、ひも１４を潜らせて軸１２に半巻きの状態にする。仕掛け器具１と踏み板７の間に跳ね棒１５を設置し、ワイヤー３を跳ね上げ獲物を捕獲する。【選択図】  図５
2004242531.tif 000002
【特許請求の範囲】
【請求項１】
仕掛け器具（１）の先端に、アンカー（４）に引っ掛けて固定するためのＵ型カギ（１３）を設け、押え棒（１０）には複数の孔（１１）を施し、ひも（１４）を潜らせ軸（１２）に半巻きの状態で引きかけ、支え棒（９）の長さの中央に感知糸（６）を接続する孔（１１）を設け、仕掛け器具（１）と踏み板（７）の間に跳ね棒（１５）を設置しワイヤー（３）を跳ね上げるコイル引きバネによる罠の装置。
【請求項２】
仕掛け器具（２０）は針金（２２）を折り曲げて構成し、軸（１２）にローラー（２１）を施す請求項１記載のコイル引きバネによる罠の装置。
【発明の詳細な説明】
【０００１】
【発明の属する技術分野】
コイル引きバネとワイヤーと仕掛け器具を主体にした簡易な大物狩猟用の罠具の装置に関する。
【０００２】
【従来の技術】
従来の横引きコイル引きバネ罠の多くは、頑強で機械的かつ重厚なものが少なくなかった。
【０００３】
【発明が解決しょうとする課題】
従来の横引きコイル引きバネ罠は、完璧な大物狩猟捕獲罠を追及するあまり、頑強で精巧な機械的、かつ重量をなす問題点があった。
【０００４】
罠の機能を損なうことなく簡便に、罠の基本原理に従い可能限なり構造を簡素化を目的とした。
【０００５】
【課題を解決するための手段】
上記目的を達成するために、本発明の仕掛け器具においては、従来は針金やひもなどで仕掛け器具をアンカーに接続したが、本発明は、仕掛け器具とアンカーまでを仕掛け器具に組み込み一体にし簡素にした。
【０００６】
従来はコイル引きバネと、仕掛け器具を接続するひもの長さの調整に手間取った。押え棒に付随するひもの長さの調整を、複数の孔によって安易にした。
【０００７】
支え棒の長さの中央に孔を設け、感知糸を孔に通して接続する。感知糸を引くと真ん中を引っ張られる支え棒は、並行に仕掛け器具から離れ、押え棒が作動しワイヤーを絞る。過去において、感知糸で支え棒の真ん中を縛っただけでは、感知糸を引くと時に感知糸が支え棒の真ん中からずれ、支え棒は斜めになり、押え棒が離れず罠が作動作動しないなどの欠点があった。
【０００８】
従来は、横引きコイル引きバネでは、穴を掘り踏み板を設置し獲物の足を落し込まないと足をくくることができない。獣道の自然な状態を荒らすと、イシシは警戒することも少なくない。跳ね棒を設置してワイヤーを跳ね上げれば、穴を必要としない。
【０００９】
罠の設置において、設置完了寸前までより安全性確保のためにフックを使用し、最後に感知糸を接続した支え棒と取り替える。
【００１０】
【発明の実施の形態】
発明の実施の形態を実施例にもとずき図面を参照して説明する。
図１において、アンカー４でコイル引きバネ２の片方を固定し、アンカー４に仕掛け器具１を引き掛け、押え棒１０のひも１４によって連結する。押え棒１０をフック１７にあてがって罠が作動しないようにしておいて、ワイヤー３をクリップ５を用いコイル引きバネ２に接続する。
ひも１４でコイル引きバネ２を引き伸ばし、押え棒１０の孔１１で調整する。罠の設置が完了後フック１７を支え棒９に取り替える。仕掛け器具１の下に穴８を掘る。
【００１１】
図２に示される実施例では、フック１７を支え棒９に取り替えて、支え棒９の孔１１に感知糸６を通して結び片方の端を踏み板７に接続させる。
【００１２】
図３に示される実施例では、異形鉄筋をＵ型に曲げたアンカー４である。
【００１３】
図４、図５に示される実施例では、仕掛け１の先端をＵ型カギ１３にして、アンカー４に引っ掛ける。支え棒９の孔１１に感知糸６を接続して、片方の端を踏み板７に接続する。軸１２は回転できる。押え棒の複数の孔１１にひも１４を通す。
【００１４】
図６に示される実施例では、木質または樹脂の押え棒１０の先端を鋭角にする。感知糸６に引っ張られた支え棒９が下がると、押え棒１０は半回転して仕掛け器具１から離れ、コイル引きバネ２がワイヤー３を引っ張り罠は作動する。押え棒１０の軸１２に接触する部分を片そぎにする。ひも１４を押え棒１０の孔１１に折り返し通す。
【００１５】
図７に示される実施例では、支え棒９の長さの中央に孔１１を施す。
【００１６】
図８に示される実施例では、跳ね棒１５の取り付け部１６をアンカー４に引っ掛ける。跳ね棒１５の先端付近にワイヤー３を針金２２で取り付ける。
【００１７】
図９に示される実施例で図９はクリップ５である。
【００１８】
図１０に示される実施例で図１０はフック１７である。
【００１９】
図１１に示される実施例では、跳ね棒１５に取り付け部１６の端を差し込んで締め具１９で固定する。
【００２０】
図１２に示される実施例では、針金を折り曲げた仕掛け器具２０は、先端の取り付け部１６はＵ型にする。軸１２の両端を曲げローラー２１を取り付ける。仕掛け器具２０の下は穴８を掘る。
【００２１】
図１３に示される実施例では、獣道の上を木２３が覆っていれば、横引でなくコイル引きバネの縦引きができる。
【００２２】
【発明の効果】
本発明は、以上説明したように構成されているので、以下に記載されるような効果を奏する。
【００２３】
括り罠の原理は、獲物がワイヤーの輪に足を踏み入れた時点で輪を瞬時に絞ればよいのである。また、胴括り罠では、獲物がワイヤーの輪を潜り抜けようとした時、瞬時に輪を絞るという。きわめて単純な要因にもとずく。従ってワイヤーを絞る作業をすればよく、それ以上の必要はない。従って罠の簡素を旨とした。
【００２４】
コイル引きバネを使用した横引の足括り罠の設置において、安全器でもあるフックを装着し、罠の設置完了後に支え棒と取り替える。強力なバネを使用する括り罠は常に危険な凶器になりかねない。本発明の括り罠では安全性のうえからフックは必要不可欠もので、危険を回避できる。
【００２５】
仕掛け器具とコイル引きバネを連結するひもの長さの調整に、従来は意外と時間を要した。押え棒に施した複数の孔により、安易にひもの長さ調整ができる。
【００２６】
従来は仕掛け器具は木の枝などで作り、地中に打ち込んだ杭に、針金やひもなどで仕掛け器具に接続したが、地中に打ち込んだアンカーまで、仕掛け器具を一体に簡素にした。
【００２７】
コイル引きバネ罠の横引きは、岩盤で穴が掘れないときは、木質や樹脂などの軽い素材の跳ね棒にワイヤーを結んで跳ね上げ罠の役割を果たす。
【００２８】
仕掛け器具それ自体は簡単なもので、針金を折り曲げて作れる。仕掛け器具の軸にローラーを設けると、押え棒の半回転をよりスムズーにする。
【００２９】
コイル引きバネ罠の足くくりでなく、胴くくりの場合。上方に樹木の枝が覆うなどの条件が整えば、縦引きの胴くくり罠の設置が可能になる。
【図面の簡単な説明】
【図１】コイル引きバネ罠の平面図である。
【図２】コイル引きバネ罠の側面図である。
【図３】アンカーの平面図である。
【図４】仕掛け器具１の平面図である。
【図５】仕掛け器具の１の側面図である。
【図６】押え軸の側面図である。
【図７】支え軸の斜視図である。
【図８】跳ね棒とワイヤーの状態を示す側面図である。
【図９】クリップの側面図である。
【図１０】フックの側面図である。
【図１１】跳ね棒の一部詳細図である。
【図１２】折り曲げ仕掛け器具の詳細斜視図である。
【図１３】上引きのコイルバネを設置した状態を示す図である。
【符号の説明】
１  仕掛け器具
２  コイル引きバネ
３  ワイヤー
４  アンカー
５  クリップ
６  感知糸
７  踏み板
８  穴
９  支え軸
１０  押え軸
１１  孔
１２  軸
１３  Ｕ型カギ
１４  ひも
１５  跳ね棒
１６  取り付け部
１７  フック
１８  ワイヤーの杭
１９  絞め具
２０  折り曲げ仕掛け器具
２１  ローラー
２２  針金
２３  立木
【図１】
2004242531.tif 000003
【図２】
2004242531.tif 000004
【図３】
2004242531.tif 000005
【図４】
2004242531.tif 000006
【図５】
2004242531.tif 000007
【図６】
2004242531.tif 000008
【図７】
2004242531.tif 000009
【図８】
2004242531.tif 000010
【図９】
2004242531.tif 000011
【図１０】
2004242531.tif 000012
【図１１】
2004242531.tif 000013
【図１２】
2004242531.tif 000014
【図１３】
2004242531.tif 000015